(57)【要約】      （修正有）【課題】パネルと壁面との間から発生する悪臭を除去したり害虫等を予防したりできるようにすることによって快適で安全な居住空間が得られるパネル取付構造を提供する。【解決手段】壁面２にパネル取付部材６を取り付け、パネル取付部材６にパネル１を取り付けることにより、壁面２との間に所定の間隔４を形成するようにしてパネル１を設置させたパネル取付構造であって、消臭剤等の薬剤を収納した薬剤収納体７をパネル１と壁面２との間４に配置する。【選択図】図３
2006299713.tif 000002
【特許請求の範囲】
【請求項１】
壁面にパネル取付部材を取り付け、パネル取付部材にパネルを取り付けることにより、壁面との間に所定の間隔を形成するようにしてパネルを設置させたパネル取付構造であって、消臭剤等の薬剤を収納した薬剤収納体をパネルと壁面との間に配置させたことを特徴とするパネル取付構造。
【請求項２】
パネル取付部材は横方向に伸びるレール状部を有し、レール状部の上面(６ｆ)に薬剤収納体を載置させた請求項１に記載のパネル取付構造。
【請求項３】
パネルを上下に並べて配置し、パネル取付部材には、先端にスリットを有して横方向に伸びるフランジが前方に突設され、パネル取付部材の上部に上側のパネルの下端部を取り付けると共に下側のパネルの上端部を上側のパネルの下端部との間を隙間が形成するようにしてパネル取付部材の下部に取り付け、上下のパネルを取り付けた状態において、上下のパネルの間にパネル取付部材のフランジが位置するようにした請求項１に記載のパネル取付構造。
【発明の詳細な説明】
【技術分野】
【０００１】
本発明は、壁面にパネルを設置させたパネル取付構造に関する。
【背景技術】
【０００２】
従来、壁面にパネル取付部材を取り付け、パネル取付部材にパネルを取り付けることにより、壁面との間に所定の間隔を形成するようにしてパネルを設置させたパネル取付構造がある（下記特許文献１参照）。
【特許文献１】特開２００２−２７６１２３号公報
【発明の開示】
【発明が解決しようとする課題】
【０００３】
しかしながら、パネルと壁面との間に湿気が籠もったり雑菌が発生したりすることがある。
そこで、本発明は、上記従来の問題に鑑みてなされ、パネルと壁面との間から発生する悪臭を除去したり害虫等を予防したりできるようにすることによって快適で安全な居住空間が得られるパネル取付構造を提供することを課題とする。
【課題を解決するための手段】
【０００４】
本発明は、上記課題を解決すべくなされたものであり、本発明に係るパネル取付構造は、壁面にパネル取付部材を取り付け、パネル取付部材にパネルを取り付けることにより、壁面との間に所定の間隔を形成するようにしてパネルを設置させたパネル取付構造であって、消臭剤等の薬剤を収納した薬剤収納体をパネルと壁面との間に配置させたことを特徴とする。
【０００５】
該構成のパネル取付構造にあっては、パネルと壁面との間に薬剤収納体を配置しているので、パネルと壁面との間の空間において薬剤が効くこととなる。例えば、薬剤が消臭剤である場合には、パネルと壁面との間で発生する悪臭を除去することができる。また、薬剤が防虫剤である場合には、パネルと壁面との間で害虫等が発生するのを予防することができる。
【０００６】
また、パネル取付部材は横方向に伸びるレール状部を有し、レール状部の上面(６ｆ)に薬剤収納体を載置させることが好ましい。
この場合には、薬剤収納体をパネルや壁面に貼り付けたり取り付けたりする作業が必要ないので、薬剤収納体を配置するのに手間がかからない。
【０００７】
更に、パネルを上下に並べて配置し、パネル取付部材には、先端にスリットを有して横方向に伸びるフランジが前方に突設され、パネル取付部材の上部に上側のパネルの下端部を取り付けると共に下側のパネルの上端部を上側のパネルの下端部との間を隙間が形成するようにしてパネル取付部材の下部に取り付け、上下のパネルを取り付けた状態において、上下のパネルの間にパネル取付部材のフランジが位置するようにすることが好ましい。
【０００８】
この場合には、スリットを利用してパネルの前側に種々の物を配置できる。例えば、スリットに板状体を差し込んで保持させ、その板状体を棚として使用することができる。また、スリットを利用して薄型壁掛けのテレビ等を取り付けることができる。
【発明の効果】
【０００９】
このように、本発明に係るパネル取付構造にあっては、パネルと壁面との間に薬剤収納体を配置することによって、例えば、薬剤が消臭剤である場合には、パネルと壁面との間で発生する悪臭を除去することができ、また、薬剤が防虫剤である場合には、パネルと壁面との間で害虫等が発生するのを予防することができるので、快適で安全な居住空間を得ることができる。
【発明を実施するための最良の形態】
【００１０】
以下、本発明に係るパネル取付構造の一実施形態について図面を参酌しつつ説明する。
図１に、本実施形態におけるパネル１が設置された壁面２が示されている。
【００１１】
パネル１は横方向に長い長方形状であり、その横方向の長さは壁面２の横方向の長さとほぼ等しくなっている。但し、長さは問わず、壁面２の横方向の長さよりも短くても無論よい。パネル１は、水平に設置され、上下に複数枚並べられて壁面２の上下方向全域に配置されている。より具体的には、上下のパネル１間に水平方向に伸びる一定幅の隙間３が形成されるようにして並べられている。そして、図３に示すように、壁面２との間に所定の間隔４を形成するように壁面２の前方に設置されている。
【００１２】
パネル１の裏面の上下端部には、図２に示すように、差し込み部材５がそれぞれ設けられている。差し込み部材５は、上下に対峙する一対の脚部５ａと、この脚部５ａの基端部同士を上下に連結する連結部５ｂとから全体として断面略コの字形状に形成され、脚部５ａがパネル１の裏面から後方に向けて突出するようにしてパネル１の裏面に取り付けられており、その取り付け状態において、パネル１の横方向の略全長に亘って伸びている。
【００１３】
一方、図１に示すように、壁面２には、その横方向に伸びるパネル取付部材６が設けられている。パネル取付部材６は、壁面２の上下方向に複数本並べて設けられ、パネル１の上下方向の長さとほぼ等しい間隔で略平行に設けられている。パネル取付部材６は、図２に示すように、先端にスリット６ｃを有するフランジ６ａを前方に突出するように上下方向略中央部に備えており、その上下両側にはレール状部６ｂをそれぞれ備えている。フランジ６ａと上下のレール状部６ｂとは、それぞれパネル取付部材６の横方向に伸びており、互いに略平行となっている。
【００１４】
上下のレール状部６ｂは、上側のレール状部６ｂはフランジ６ａの上方に離して、下側のレール状部６ｂはフランジ６ａの下方に離してそれぞれ配備されており、それぞれの間でパネル１に取り付けられている差し込み部材５を差し込むための溝部６ｄが形成されている。レール状部６ｂは、パネル１を壁面２に設置した際に、レール状部６ｂの先端６ｅがパネル１の裏面に当接する程度に前方に突出している。即ち、レール状部６ｂの上面６ｆは、パネル１と壁面２との間４のほぼ全域に亘るように設けられる。また、レール状部６ｂの上面６ｆは、平坦な面であり、パネル取付部材６を壁面２に取り付けた際に、壁面２と略直角になるように形成されている。尚、本実施形態では、レール状部６ｂは中空体であるが、これに限られず、中実体であってもよい。
【００１５】
このように、フランジ６ａと上下のレール状部６ｂとを備えるパネル取付部材６は、図２及び３に示すように、上下のレール状部６ｂが壁面２の上下方向に並び、フランジ６ａが壁面２から前方に向けて突出するように壁面２に取り付けられる。
【００１６】
そして、壁面２に取り付けられたパネル取付部材６の上側のレール状部６ｂの上面６ｆに、消臭剤等の薬剤を収納した薬剤収納体７が載置される。薬剤収納体７は、横方向の長さが長い略直方体形状であるが、その上部の前側は厚さが上方に向かって薄くなるように傾斜した形状７ａとなっている。薬剤収納体７の厚さは、レール状部６ｂの突出長さにほぼ等しい厚さとなっている。尚、薬剤収納体７の形状は、略直方体形状に限られず、例えば、略円柱形状であってもよい。また、収納される薬剤は、消臭剤に限られず、例えば、防虫剤、脱臭剤、除湿剤、芳香剤などであってもよい。
【００１７】
そして、パネル取付部材６のフランジ６ａと上側のレール状部６ｂとで形成される溝部６ｄに、上側のパネル１の下端部に設けられている差し込み部材５の両脚部５ａを差し込むことにより、上側のパネル１は壁面２に取り付けられ、脚部５ａの弾性変形によって、取り付け状態に維持される。次に、下側のパネル１を、上側のパネル１の場合と同様に、フランジ６ａと下側のレール状部６ｂとで形成される溝部６ｄに、下側のパネル１の上端部に設けられている差し込み部材５の両脚部５ａを差し込むことにより、下側のパネル１は壁面２に取り付けられ、脚部５ａの弾性変形によって、取り付け状態に維持される。
【００１８】
このようにして、パネル１が上下に並んで壁面２に取り付けられることにより、図３に示すように、上下のパネル１の間には隙間３が形成され、その隙間３にパネル取付部材６のフランジ６ａが位置することとなる。そして、パネル１と壁面２との間には所定の空間４が形成され、その間に薬剤収納体７が配置されることとなる。
【００１９】
以上の構成からなるパネル取付構造にあっては、薬剤収納体７は、パネル１と壁面２との間の空間４に配置されているので、この空間４において薬剤が効くこととなる。例えば、薬剤が消臭剤である場合には、パネル１と壁面２との間４で発生する悪臭を除去することができる。また、薬剤が防虫剤である場合には、パネル１と壁面２との間４で害虫等が発生するのを予防することができる。従って、快適で安全な居住空間を得ることができる。また、パネル１の形成に、気化した薬剤が透過可能な布ばくや簾状のもの等を用いれば、空間４のみならず部屋全体に薬剤を拡散させて、消臭、防虫の効果を発揮することができ、また、薬剤収納体７がパネル１により隠されて、インテリアの調和を損ねることを無くすことができる。
【００２０】
また、薬剤収納体７は、パネル取付部材６の上側のレール状部６ｂの上面６ｆに載置されているので、薬剤収納体７をパネル１や壁面２に貼り付けたり取り付けたりする作業が必要なく、薬剤収納体７を配置するのに手間がかからない。
【００２１】
更に、パネル取付部材６のフランジ６ａは、その先端にスリット６ｃを有し、上側のパネル１と下側のパネル１との間の隙間３に位置しているので、スリット６ｃを利用してパネル１の前側に種々の物８を配置できる。例えば、図３に示すように、スリット６ｃに板状体９を差し込んで保持させ、その板状体９を棚や机として使用することができる。また、スリット６ｃを利用して薄型壁掛けのテレビ等を取り付けることができる。更に、上下のスリット６ｃ間に梯子状の構造物を掛け渡すことにより植木鉢等をぶら下げる等して陳列することもできる。
【００２２】
また更に、薬剤収納体７の上部には傾斜した形状７ａが設けられているので、薬剤の効き目が拡散しやすく、パネル１と壁面２との間の空間４全体に薬剤の効き目が拡がるという利点がある。
【００２３】
尚、本実施形態では、薬剤収納体７をパネル取付部材６の上側のレール状部６ｂの上面６ｆに載置する場合について説明したが、これに限られず、例えば、薬剤収納体７をパネル１の裏面に貼り付けた場合や、壁面２に取り付けた場合であってもよい。
【００２４】
また、本実施形態では、薬剤収納体７を一つだけ配置した場合について説明したが、複数個配置してもよく、例えば、薬剤収納体７を横方向に並べて配置した場合であってもよいし、上下方向に並べて配置した場合であってもよい。また、消臭剤と防虫剤といった別種の薬剤がそれぞれ収納されている薬剤収納体７を横方向や上下方向に並べて配置した場合であってもよい。
【図面の簡単な説明】
【００２５】
【図１】本発明の一実施形態に係るパネルが設置された壁面を示す正面図。
【図２】図１のＰ−Ｐ線断面拡大図であって、パネル取り付け前の状態を示す図。
【図３】図１のＰ−Ｐ線断面拡大図であって、パネル取り付け後の状態を示す図。
【符号の説明】
【００２６】
１…パネル、２…壁面、５…差し込み部材、６…パネル取付部材、６ｂ…レール状部、６ｆ…レール状部の上面、７…薬剤収納体
【図１】
2006299713.tif 000003
【図２】
2006299713.tif 000004
【図３】
2006299713.tif 000005